(57)【特許請求の範囲】
【請求項１】
一端部に第１のヒンジ部を介してリンク部が結合されるとともに、このリンク部の下部にがいし連の側部に設けられた台座に装着される第２のヒンジ部を有し、また他端部に第３のヒンジ部を有するとともに、この第３のヒンジ部の先端部に前方へ延出する挿入部を有する棒状の避雷素子から成る避雷装置と、一端部に第４のヒンジ部を介して前記挿入部に挿脱自在に挿着される被挿入部を有し、他端部に公差部が設けられた棒体から成るゲージ子とがあり、前記避雷装置を高圧送電線鉄塔のがいし連に装着する避雷装置の装着方法であって、
第１の操作棒の先端部に前記ゲージ子が装着された状態の避雷装置を保持して避雷装置をがいし連に接近させ、第２の操作棒の先端部の着脱用の治具により前記第２のヒンジ部を前記台座に装着する工程と、前記第１、第２のヒンジ部を中心に操作棒により前記避雷素子を揺動・進退させるとともに、前記第３、第４のヒンジ部を中心に前記ゲージ子を揺動・進退させることにより、がいし連の他端部側から前記一端部側へ延出するホーンの先端部が前記公差部内に位置するように前記ゲージ子の位置調整をする工程と、位置調整が終了したならば、前記着脱用の治具により前記第１、第２、第３のヒンジ部を本締めすることにより避雷装置をがいし連に固定する工程と、操作棒により前記ゲージ子を前記挿入部から取りはずす工程とを含むことを特徴とする避雷装置の装着方法。
【発明の詳細な説明】
【技術分野】
【０００１】
本発明は、高圧送電線鉄塔のがいし連にホーンに対向する避雷装置を装着する避雷装置の装着方法に関するものである。
【背景技術】
【０００２】
高圧送電線鉄塔に高圧送電線を保持するために設けられるがいし連には、落雷時などの異常時に対処するために、ホーンと、ホーンの先端部に対向する避雷装置が装着される。
【発明の開示】
【発明が解決しようとする課題】
【０００３】
活線状態において、避雷装置をより高性能な避雷装置と交換するような場合、既設の古い避雷装置をがいし連から取りはずしたうえで、新たな避雷装置を装着することになる。
【０００４】
ところで、互いに対向する避雷装置の先端部とホーンの先端部の間隔は適正でなければならず、この間隔が短すぎると日常の電圧変動等により安易に避雷装置とホーンの間がショートし、また間隔が長すぎると落雷時などの異常時に両者間はショートせずにがいし連がショートしてしまい、がいし連が破壊されるなどの事故が生じる。
【０００５】
上記のような事故を防止するためには、避雷装置の先端部とホーンの先端部の間隔は許容誤差（公差）内に設定しなければならない。この公差は、電圧の大きさなどの条件によって相違するが、代表的には例えば１０ｍｍ程度であって、かなり小さい。出願人が調査したかぎり、活線状態においてこのような公差を確保して避雷装置を交換する先行技術は無い。
【０００６】
そこで本発明は、適正な公差を確実に確保して避雷装置をがいし連に装着することができる避雷装置の装着方法を提供することを目的とする。
【課題を解決するための手段】
【０００７】
本発明は、一端部に第１のヒンジ部を介してリンク部が結合されるとともに、このリンク部の下部にがいし連の側部に設けられた台座に装着される第２のヒンジ部を有し、また他端部に第３のヒンジ部を有するとともに、この第３のヒンジ部の先端部に前方へ延出する挿入部を有する棒状の避雷素子から成る避雷装置と、一端部に第４のヒンジ部を介して前記挿入部に挿脱自在に挿着される被挿入部を有し、他端部に公差部が設けられた棒体から成るゲージ子とがあり、前記避雷装置を高圧送電線鉄塔のがいし連に装着する避雷装置の装着方法であって、第１の操作棒の先端部に前記ゲージ子が装着された状態の避雷装置を保持して避雷装置をがいし連に接近させ、第２の操作棒の先端部の着脱用の治具により前記第２のヒンジ部を前記台座に装着する工程と、前記第１、第２のヒンジ部を中心に操作棒により前記避雷素子を揺動・進退させるとともに、前記第３、第４のヒンジ部を中心に前記ゲージ子を揺動・進退させることにより、がいし連の他端部側から前記一端部側へ延出するホーンの先端部が前記公差部内に位置するように前記ゲージ子の位置調整をする工程と、位置調整が終了したならば、前記着脱用の治具により前記第１、第２、第３のヒンジ部を本締めすることにより避雷装置をがいし連に固定する工程と、操作棒により前記ゲージ子を前記挿入部から取りはずす工程とを含む。
【発明の効果】
【０００８】
本発明によれば、避雷装置の一端部側の第２のヒンジ部をがいし連の台座に装着し、次いで操作棒により避雷素子やゲージ子を第１〜第４のヒンジ部を中心に揺動・進退させることによりホーンの先端部を公差部内に位置させ、公差内に位置させたことを作業者が視認したうえで、第１、第２、第３のヒンジ部を本締めすることにより、避雷装置の先端部とホーンの先端部の間隔を適正に確保して、避雷装置をがいし連に装着することができる。
【発明を実施するための最良の形態】
【０００９】
図１は本発明の実施の形態における高圧送電線鉄塔の正面図、図２は避雷装置の装着作業中の高圧送電線鉄塔の要部俯瞰図、図３はがいし連とこれに装着しようとする避雷装置の側面図、図４は避雷装置をがいし連に載せた状態の側面図、図５は装着作業終了後のがいし連と避雷装置の側面図、図６は避雷装置とゲージ子の接続部の断面図、図７はゲージ子の斜視図、図８はゲージ子の公差部とホーンの先端部の位置調整中の平面図である。
【００１０】
図１、図２は、高圧送電線鉄塔上で２人の作業者イ、ロが活線状態において避雷装置をがいし連に装着している様子を示している。高圧送電線鉄塔１のアーム部２の先端には耐張型のがいし連３が設けられている。作業者イ、ロは、活線状態でも諸作業ができるように、電気絶縁性の操作棒４、５を各々手に保持して、避雷装置の装着作業を行っている。なお本発明は、懸吊型のがいし連にも適用できる。
【００１１】
次に、避雷装置を説明する。図３は、操作棒４の先端部にひも７で懸吊して保持された避雷装置１０と、この避雷装置１０を装着するがいし連３の側面図である。避雷装置１０の両側部には小ホーン６が設けられている。避雷装置１０は、樹脂などから成る棒状の避雷素子１１を主体にしている。避雷素子１１の一端部には、第１のヒンジ部１２を介してリンク部１３が結合されている。リンク部１３の下部には第２のヒンジ部１４が取り付けられている。第２のヒンジ部１４は、がいし連３の側部に設けられた台座１５に着脱自在に装着される。がいし連３の台座１５と反対側の側部には、がいし連３の中央側へ延出するホーン８が設けられている。
【００１２】
図３、図６において、避雷素子１１の他端部には、第３のヒンジ部１６が設けられている。第３のヒンジ部１６の先端部には、前方へ延出する棒状の挿入部１６ａが設けられている。挿入部１６ａには、ゲージ子２０の後端部に設けられた被挿入部２３が挿脱自在に挿着される（図７も参照）。図６において、棒体２１（後述）の一端部に設けられた第４のヒンジ部２２には左右からピン１７ａ、１７ｂが挿着されており、ピン１７ａ、１７ｂの尖った先端部が被挿入部２３の先端部に挿着されている。挿入部１６ａの先端面ａは、ピン１７ａ、１７ｂの軸心線ＮＡと面一になっており、ゲージ子２０をピン１７ａ、１７ｂを中心に揺動させても、先端面ａと軸心線ＮＡの相対位置は変動しないようになっている。
【００１３】
次に、図７、図８を参照して、ゲージ子２０を説明する。図７において、ゲージ子２０は電気絶縁性の棒体２１を主体としており、その一端部には第４のヒンジ部２２を介して管状の被挿入部２３が設けられている。被挿入部２３が前記挿入部１６ａに挿入されることにより、ゲージ子２０は避雷装置１０の先端部に挿脱自在に挿着される。被挿入部２３の上面にはねじ孔２５が開孔されている。このねじ孔２５にボルトなどの止具２６を螺入することにより、被挿入部２３を挿入部１６ａに固定する。
【００１４】
棒体２１の先端部には、平面視してカギ型の公差部２４が装着されている。後述するように、がいし連３のホーン８の先端部が公差部２４内に位置するように、避雷装置１０の先端部のホーン８の先端部に対する位置調整が行われる。公差部２４の長さ（公差）Ｌは、避雷装置１０の先端部（挿入部１６ａの先端部）とホーン８の先端部の間隔Ｔ（図５参照）の許容誤差である。図８の破線で示すように、ホーン８の先端部が公差部２４外に位置すると、前記間隔Ｔは長すぎることとなり、落雷時などの異常時に、避雷装置１０と小ホーン６の間はショートせずにがいし連３がショートしてしまい、がいし連３が破壊されるなどの事故が生じることは上述したとおりである。
【００１５】
この避雷装置は上記のような構成より成り、次に図３〜図５を参照してがいし連への装着方法を説明する。図３〜図５は、活線状態において、既設の旧い避雷装置をがいし連３から取りはずしたうえで、新しい避雷装置１０を装着する様子を示している。図３において、一方の作業者イは、操作棒４の先端部にゲージ子２０が装着された状態の避雷装置１０の両端部をひも７で懸吊して保持し、避雷装置１０をがいし連３に接近させて第２のヒンジ部１４を台座１５に載せる（図４参照）。次に他方の作業者ロは、操作棒５を保持し、その先端の治具５ａ（図１）により第２のヒンジ部１４を台座１５に装着する。なお、本発明の各操作棒４、５、各ヒンジ部１２、１４、１６や治具５ａ等は公知のものであり、またヒンジ部１２、１４、１６は治具によりボルト締めするなどして、しっかり本締めされるものである。
【００１６】
次に、作業者イ又はロは、位置調整用の操作棒（この操作棒は、公知のものでよい）を保持し、避雷素子１１を第１、第２のヒンジ部１２、１４を中心に揺動・進退させ（図４の矢印Ａ、Ｂ）、また同様の操作棒により第３、第４のヒンジ部１６、２２を中心にゲージ子２０を揺動・進退させ（図４の矢印Ｃ、Ｄ）、ホーン８の先端部が公差部２４の内部に位置するように避雷装置１０の位置調整を行う（図８の矢印Ｄも参照）。
【００１７】
図８で実線で示すホーン８は、その先端部ｂが治具２４の公差Ｌ内に位置した状態を示している。この状態で、避雷装置１０の先端部（挿入部１６ａの先端部）とホーン８の先端部ｂの間隔は適正に確保されたことになる。そして作業者イ又はロがホーン８の先端部ｂが公差Ｌ内に位置することを視認したならば、作業者ロは操作棒５を操作し、治具５ａにより第１、第２、第３のヒンジ部１２、１４、１６を本締めするなどして避雷装置１０をがいし連３上にしっかり固着する。なお、第４のヒンジ部２２は本締めしない。
【００１８】
次いでひも７を避雷装置１０から取りはずすとともに、公知の操作棒を操作して止具２６を被挿入部２３から取りはずし、次いでゲージ子２０を挿入部１６ａから取りはずす。以上により、避雷装置１０の装着作業は終了する。図５は、装着作業が終了したがいし連３上の避雷装置１０を示すものであって、避雷装置１０の先端部とホーン８の先端部の間隔Ｔは適正に確保されている。なお本実施の形態では、活線状態での交換を説明したが、本発明は停電状態での交換にも適用できることは言うまでもない。
【産業上の利用可能性】
【００１９】
本発明によれば、避雷装置の一端部側の第２のヒンジ部をがいし連の台座に装着し、操作棒により避雷素子やゲージ子を揺動・進退させることによりホーンの先端部を公差部内に位置させ、公差内に位置させたことを作業者が視認したうえで、第１、第２、第３のヒンジ部を本締めすることにより、避雷装置の先端部とホーンの先端部の間隔を確実に適正に確保して、避雷装置をがいし連に装着することができる。
【図面の簡単な説明】
【００２０】
【図１】本発明の実施の形態における高圧送電線鉄塔の正面図
【図２】避雷装置の装着作業中の高圧送電線鉄塔の要部俯瞰図
【図３】がいし連とこれに装着しようとする避雷装置の側面図
【図４】避雷装置をがいし連に載せた状態の側面図
【図５】装着作業終了後のがいし連と避雷装置の側面図
【図６】避雷装置とゲージ子の接続部の断面図
【図７】ゲージ子の斜視図
【図８】ゲージ子の公差部とホーンの先端部の位置調整中の平面図
【符号の説明】
【００２１】
１  高圧送電線鉄塔
３  がいし連
４、５  操作棒
５ａ  治具
８  ホーン
１０  避雷装置
１１  避雷素子
１２  第１のヒンジ部
１３  リンク部
１４  第２のヒンジ部
１５  台座
１６  第３のヒンジ部
１６ａ  挿入部
２０  ゲージ子
２１  棒体
２２  第４のヒンジ部
２３  被挿入部
２４  公差部
Ｌ  公差
Ｔ  間隔
【図１】
0004885091.tif 000002
【図２】
0004885091.tif 000003
【図３】
0004885091.tif 000004
【図４】
0004885091.tif 000005
【図５】
0004885091.tif 000006
【図６】
0004885091.tif 000007
【図７】
0004885091.tif 000008
【図８】
0004885091.tif 000009